(57)【特許請求の範囲】
【請求項１】
電柱（１）にこれの上下方向に沿うよう取り付けられた引上管（４）と、電柱（１）の上部に通し付けられた引上キャップ（５）とを備えており、
引上キャップ（５）は、電柱（１）に通された筒状のキャップ本体（７）と、このキャップ本体（７）の全周から径方向外方へ張り出した上下の鍔（９・１０）とを有しており、
上側の鍔（９）の下方において、下側の鍔（１０）の一部に、上下貫通状にかつ上方拡がり状のアールを付けた通孔（１２）が形成されており、
通孔（１２）と対向する鍔（９）の下面が、鍔（９）の径方向外方へ上向きの斜面となっており、
下側の鍔（１０）の断面形状は上方凸形の部分円弧に形成されており、
通孔（１２）の下端に、引上管（４）の上端部が連通状に接続されており、
家屋側の屋外通信ケーブル（３）は、これの端末が前記通孔（１２）から引上管（４）に通されて該引上管（４）の下端近傍位置に設置した端子函（６）内の架空ケーブル（２）と接続されていることを特徴とする電柱への屋外通信ケーブルの据え付け装置。
【請求項２】
上側の鍔（９）の断面形状は、下方凸形の部分円弧状に形成されており、
鍔（１０）の上面のキャップ本体（７）との付け根部の全周にわたって凹溝（１１）が形成され、この凹溝（１１）が曲面を描いて通孔（１２）に連続している請求項１記載の電柱への屋外通信ケーブルの据え付け装置。
【請求項３】
引上キャップ（５）は、二分割型のハーフキャップ（５ａ・５ｂ）にて形成されており、
ハーフキャップ（５ａ・５ｂ）の各上端面および下端面に、二分割型の締結リング（１５）を構成するハーフリング（１５ａ・１５ｂ）をそれぞれ一体的に結合しており、
引上キャップ（５）は、ハーフキャップ（５ａ・５ｂ）を電柱（１）をはさむよう合わしたのち、電柱（１）に対しハーフリング（１５ａ・１５ｂ）を屈曲自在なバンド（１７）で巻き締めることで固定される請求項１または２記載の電柱への屋外通信ケーブルの据え付け装置。
【発明の詳細な説明】
【０００１】
【発明の属する技術分野】
本発明は、家屋側の屋外通信ケーブル（引込線）を電柱に据え付けるための装置に関する。
【０００２】
【従来の技術】
従来、家屋側の屋外通信ケーブルを電柱に据え付けるには、はしごや高所作業車などを用いて、屋外通信ケーブルを電柱の頭部に引留具で引き留めて架空ケーブルと接続配線するという高所作業で行われていた。
【０００３】
【発明が解決しようとする課題】
しかるに、電柱の上部での高所作業は危険性があり、作業能率の低下原因にもなっている。
【０００４】
本発明の目的は、家屋側の屋外通信ケーブルを電柱に据え付ける作業が地上で安全かつ能率良く行える、電柱への屋外通信ケーブルの据え付け方法に用いる装置を提供することにある。
【０００５】
【課題を解決するための手段】
本発明の電柱への屋外通信ケーブルの据え付け装置は、電柱１にこれの上下方向に沿うよう取り付けられた引上管４と、電柱１の上部に通し付けられた引上キャップ５とを備える。引上キャップ５は、電柱１に通された筒状のキャップ本体７と、このキャップ本体７の全周から径方向外方へ張り出した上下の鍔９・１０とを有する。上側の鍔９の下方において、下側の鍔１０の一部に、上下貫通状にかつ上方拡がり状のアールを付けた通孔１２が形成される。通孔１２と対向する鍔９の下面が、鍔９の径方向外方へ上向きの斜面となっている。下側の鍔１０の断面形状は上方凸形の部分円弧に形成される。通孔１２の下端に、引上管４の上端部が連通状に接続される。家屋側の屋外通信ケーブル３は、これの端末が前記通孔１２から引上管４に通されて該引上管４の下端近傍位置に設置した端子函６内の架空ケーブル２と接続されていることを特徴とする。
【０００６】
上側の鍔９の断面形状は、下方凸形の部分円弧状に形成される。鍔１０の上面のキャップ本体７との付け根部の全周にわたって凹溝１１が形成され、この凹溝１１が曲面を描いて通孔１２に連続する。引上キャップ５は、二分割型のハーフキャップ５ａ・５ｂにて形成される。ハーフキャップ５ａ・５ｂの各上端面および下端面に、二分割型の締結リング１５を構成するハーフリング１５ａ・１５ｂをそれぞれ一体的に結合する。引上キャップ５は、ハーフキャップ５ａ・５ｂを電柱１をはさむよう合わしたのち、電柱１に対しハーフリング１５ａ・１５ｂを屈曲自在なバンド１７で巻き締めることで固定される。
【０００７】
【作用】
上記構成の装置を用いた据え付け方法によれば、通線作業、仮結び作業、および架空ケーブル２との接続作業の全てを地上で行うことができる。
【０００８】
上記構成の装置によれば、屋外通信ケーブル３を引上管４に通すには、まず、地上にて、撓み自在な通線２０を引上管４の下端から通す通線作業で、通線２０の先端が引上キャップ５の通孔１２から導出し下向きに撓んで自己反転しながら地上に達するものとすることができる。ついで、この地上に達した通線２０の先端は、家屋側の屋外通信ケーブル３の端末と仮結びをしたうえで、通線２０を引き戻すことにより引上管４の下端にまで引き込むことができる。この後、屋外通信ケーブル３の端末は通線２０との仮結びを解いて、端子函６内の架空ケーブル２と接続することができる。
【０００９】
屋外通信ケーブル３は引上キャップ５の鍔１０上で３６０度あらゆる方向から通孔１２内に引き込むことが可能になる。
屋外通信ケーブル３は通孔１２のアールを付けた上方拡がり口部の内部に引き込まれることで傷付きや断線から防護できる。
【００１０】
【発明の実施の形態】
図１は屋外通信ケーブルを電柱へ据え付けた後の状態を示す正面図、図２は屋外通信ケーブルを電柱へ据え付ける途上の状態を示す正面図である。図１において、１は電柱、２は電柱１・１間にかけ渡された銅線ケーブルあるいは光ケーブルなどによる架空ケーブル、３は家屋側に引き込まれる屋外通信ケーブル、４は電柱１にこれの上下方向に沿って取り付けた引上管、５は電柱１の上部に取り付けた引上キャップ、６は電柱１の下部の地上に近い箇所に脱着可能に設置された端子函である。
【００１１】
図３ないし図５に示すように、引上キャップ５はこれ全体がアルミニウムあるいはプラスチックなどからなり、筒状のキャップ本体７と、このキャップ本体７の全周から径方向外方へ一体に張り出した上下の鍔９・１０とを有する。下側の鍔１０の断面形状は上方凸形の部分円弧に形成されるとともに、この鍔１０の上面のキャップ本体７との付け根部に断面円弧形状の凹溝１１をその全周にわたって形成している。また、この鍔１０の円周方向の一か所には上方拡開状の通孔１２を上下貫通状に形成している。図５に示すごとく、その通孔１２の上方拡開口部１２ａは少なくとも３０mmの曲率半径ｒで形成して、通孔１２の上部で曲がる屋外通信ケーブル３の曲率半径を３０mm以上に確保している。上側の鍔９の断面形状は下方凸形の部分円弧状に形成している。
【００１２】
引上キャップ５は電柱１の上部にこれの側方から取り付けることができ、また電柱１の太さが異なる場合も取り付けられるように、二分割型のハーフキャップ５ａ・５ｂにて形成する。この場合、図３に示すごとく、ハーフキャップ５ａ・５ｂどうしが狂わないよう合わせられるようにその一方の合わせ面にだぼ１３を、他方の合わせ面にだぼ１３が嵌合する穴１４をそれぞれ設ける。また、図３および図４に示すように、ハーフキャップ５ａ・５ｂの各上端面および下端面に、二分割型の締結リング１５を構成するハーフリング１５ａ・１５ｂをそれぞれビス１６で一体的に結合する。
【００１３】
このように構成された引上キャップ５は電柱１の上部にハーフキャップ５ａ・５ｂを電柱１をはさむよう合わしたのち、図１に示すごとく電柱１に対しハーフリング１５ａ・１５ｂを金属製の屈曲自在なバンド１７で巻き締めることで固定される。
引上キャップ５の通孔１２の下部には塩化ビニル樹脂管などからなる引上管４の上端部が連通状に接続され、引上管４の下端は端子函６内に臨ませる。これら引上キャップ５および引上管４を取り付ける時には、架空ケーブル２が引上キャップ５の通孔１２から挿入され、引上管４に通されたうえで、端子函６内の接続端子板１９に接続される。
【００１４】
このように、予め、高所作業で電柱１に引上キャップ５および引上管４を取り付けておくと、以後、この電柱１の周辺にある家屋に屋外通信ケーブル３を引き込む場合は、電柱１の上部で高所作業をすることなく、次の要領ですべて地上作業にて行える。かかる地上作業に際しては、図２に示すごとく撓み自在な通線２０を用意する。そして、地上にて、通線２０を引上管４にこれの下端から押し込むという通線作業を行うことにより、通線２０の先端が引上管４内を経て引上キャップ５の通孔１２から出て行き、その撓み作用で下向きに自己反転しながら地上に達する。この地上の通線２０の先端は家屋側の屋外通信ケーブル３の端末と仮結ぶを行う。ついで、屋外通信ケーブル３の端末が引上キャップ５の通孔１２を通って引上管４の下端に出るまで通線２０を引き戻した後、屋外通信ケーブル３の端末と通線２０との仮結び部分を解く。最後に、端子函６を外して屋外通信ケーブル３の端末を引留具（図示省略）で引き留めたうえで架空ケーブル２と接続配線し、端子函６を取り付けて作業を終了する。
【００１５】
かかる屋外通信ケーブル３の引き込みに際しては、各家屋は電柱１を中心としてあらゆる方向に存在する。こうした場合も屋外通信ケーブル３は引上キャップ５の鍔１０上で３６０度あらゆる方向から通孔１２内に引き込むことが可能になる。屋外通信ケーブル３は鍔１０上で通孔１２に達するまでは凹溝１１内を這うことで、垂れ下がったりすることなく、通孔１２内に安定によく導入する。屋外通信ケーブル３は通孔１２のアールが付いた上方拡がり口部１２ａ内に通すことで傷付きや断線なく引き込むことができる。また家屋は電柱１の土地よりも高台にあることもある。こうした場合、屋外通信ケーブル３が上側の鍔９と触れるようなことがあるが、該鍔９は下方凸形の部分円弧に形成してあるので、これ又、傷付きや断線から防護できる。
【００１６】
引上キャップ５には通孔１２を２個以上設けることもできる。この場合、各通孔１２に引上管４が連通状に接続される。
【００１７】
【発明の効果】
本発明によれば、家屋側の屋外通信ケーブル３を電柱１に地上の作業にて安全かつ能率よく据え付けることできる。
【図面の簡単な説明】
【図１】屋外通信ケーブルを電柱へ据え付けた後の状態を示す正面図である。
【図２】屋外通信ケーブルを電柱へ据え付ける途上の状態を示す正面図である。
【図３】引上キャップの底面図である。
【図４】図３におけるＡ−Ａ線拡大断面図である。
【図５】図３におけるＢ−Ｂ線拡大断面図である。
【符号の説明】
１  電柱
２  架空ケーブル
３  屋外通信ケーブル
４  引上管
５  引上キャップ
６  端子函
７  キャップ本体
１０  鍔
１１  凹溝
１２  通孔
２０  通線
【図１】
0003971787.tif 000002
【図２】
0003971787.tif 000003
【図３】
0003971787.tif 000004
【図４】
0003971787.tif 000005
【図５】
0003971787.tif 000006